(57)【要約】      （修正有）【課題】広告主から広告作成の依頼が有った際に、視聴者の共感が得られるような広告を安価に作成し、口コミ的に広告に関する話題を広げて広告効果を高める。また、名度の低い制作者に広く広告制作の機会を与える。【解決手段】広告主の端末と、広告を作成する制作者の端末と、仲介者のサーバとが通信ネットワークを介して接続されている。仲介者のサーバは、広告主から送信された広告制作依頼内容を記録し、制作者に閲覧させることができる。制作者が応募した作品中から広告主が任意の作品を広告として採用する。採用された広告はブログにタグを貼ることにより制作者のブログにその広告を表示させる。広告には関連づけられた広告用ｗｅｂページへのリンクが設定されている。【選択図】図２
2008217423.tif 000002
【特許請求の範囲】
【請求項１】
広告主の端末と、広告を作成する制作者の端末と、仲介者のサーバとが通信ネットワークを介して接続された広告配信システムであって、
仲介者のサーバは、
広告主から送信された広告制作依頼内容を記録する募集データベースと、
該募集データベースに記録された広告制作依頼内容を制作者に閲覧させる手段と、
制作者が応募した作品を記録する応募データベースと、
広告主が応募された作品を閲覧すると共に採用の可否を決定することができる手段と、
採用された作品を広告として記録する広告データベースと、
採用された広告と関連づけたタグを該広告の制作者に提供する手段と、
該制作者が該タグを自分のブログ又はｗｅｂページに記録した際に該制作者のブログ又はｗｅｂページに該広告を表示させる手段とを備え、
該広告には該広告と関連づけられた広告用ｗｅｂページへのリンクが設定されている
ことを特徴とする広告配信システム。
【請求項２】
仲介者のサーバは制作者が設定した応募条件を記録することができ、
広告主より該応募条件と合致する広告制作依頼が登録された後に、該制作者の端末に条件に合致した依頼があった旨の通知を自動的に行う
こと特徴とする請求項１記載の広告配信システム。
【請求項３】
仲介者のサーバには広告主が提供する広告制作用の素材を記録するデータベースが備えられており、
制作者から要求が有った際に要求された素材を該制作者の端末にダウンロードさせることが可能である
ことを特徴とする請求項１又は請求項２記載の広告配信システム
【請求項４】
広告主が広告を採用した後に、広告主から仲介者を介して該広告を制作した制作者に制作料を支払う手段を有したことを特徴とする請求項１，請求項２又は請求項３記載の広告配信システム。
【請求項５】
仲介者のサーバには通信ネットワークを介して会員の端末が接続可能であり、
仲介者のサーバは、
会員が会員情報を登録する手段と、
広告主が採用した広告を会員に閲覧させる手段と、
会員が任意に選択した広告と関連づけられた広告用のタグを該会員に提供する手段と、
該会員が該タグを自分のブログ又はｗｅｂページに記録した際に該会員のブログ又はｗｅｂページに該広告を表示させる手段とを備えており、
該広告には該広告と関連づけられた広告用ｗｅｂページへのリンクが設定されている
ことを特徴とする請求項１から請求項４のいずれかの請求項に記載の広告配信システム。
【請求項６】
仲介者のサーバには通信ネットワークを介して会員の端末が接続可能であり、
仲介者のサーバは、
広告主に採用された広告をジャンルと関連づけて記録しており、
会員が会員情報と該会員の選択したジャンルとを登録する手段と、
広告表示用のタグを会員に提供する手段と、
会員が該タグを自分のブログ又はｗｅｂページに記録した際に該会員のブログ又はｗｅｂページに広告枠を表示させる手段と、
前記広告枠に該会員が登録したジャンルと関連する広告を表示する手段とを備えており、
該広告には該広告と関連づけられた広告用ｗｅｂページへのリンクが設定されている
ことを特徴とする請求項１から請求項４のいずれかの請求項に記載の広告配信システム。
【請求項７】
仲介者のサーバには通信ネットワークを介して会員の端末が接続可能であり、
仲介者のサーバは、
広告主に採用された広告を広告主の選択したキーワードと関連づけて記録しており、
会員が会員情報を登録する手段と、
広告表示用のタグを会員に提供する手段と、
会員が該タグを自分のブログ又はｗｅｂページに記録した際に該会員のブログ又はｗｅｂページに広告枠を表示させる手段と、
該会員がブログ又はｗｅｂページに記載した記事中からキーワードを抽出する手段と、
抽出されたキーワードと関連する広告を前記広告枠に表示する手段とを備えており、
該広告には該広告と関連づけられた広告用ｗｅｂページへのリンクが設定されている
ことを特徴とする請求項１から請求項４のいずれかの請求項に記載の広告配信システム。
【請求項８】
仲介者のサーバには通信ネットワークを介して会員の端末が接続可能であり、
仲介者のサーバは、
広告主に採用された広告を会員属性と関連づけて記録しており、
会員が会員情報と会員属性とを登録する手段と、
広告表示用のタグを会員に提供する手段と、
会員が該タグを自分のブログ又はｗｅｂページに記録した際に該会員のブログ又はｗｅｂページに広告枠を表示させる手段と、
前記広告枠に該会員が登録している属性と関連づけられた広告を表示する手段とを備えており、
該広告には該広告と関連づけられた広告用ｗｅｂページへのリンクが設定されている
ことを特徴とする請求項１から請求項４のいずれかの請求項に記載の広告配信システム。
【請求項９】
仲介者のサーバには通信ネットワークを介して会員の端末が接続可能であり、
仲介者のサーバは、
会員登録をした会員のブログを記録するブログ記録領域と、
該ブログ中に自動的に広告枠を形成させ、該広告枠に広告を表示させる手段を備えており、
該広告には該広告と関連づけられた広告用ｗｅｂページへのリンクが設定されている
ことを特徴とする請求項１から請求項４のいずれかの請求項に記載の広告配信システム。
【請求項１０】
広告からのリンクにより、広告用ｗｅｂページが閲覧された場合に、リンク元の広告を掲載した会員又は制作者に広告主から広告料を支払う手段を備えたこと
を特徴とする請求項１から請求項９のいずれかの請求項に記載の広告配信システム。
【請求項１１】
前記広告料は、広告をクリックした数に対応したクリック課金であり、広告主から仲介者を経由して会員又は制作者に支払われることを特徴とする請求項１０記載の広告配信システム。
【発明の詳細な説明】
【技術分野】
【０００１】
本発明は、インターネット等の通信ネットワークを利用した広告配信システムに関するものである。
【背景技術】
【０００２】
近年では自社の広告用のｗｅｂページなどに動画による広告を掲載していることが多くなっている。しかしながら、広告は広告主が商品またはサービスの販売促進を狙って作成するため、閲覧者としてはわざわざ「売り込み」のための広告を見る気はしない。その点で広告作成者と閲覧者、つまり需用者との間でギャップが生じている。
【０００３】
そして、せっかく動画広告を制作しても見込み客である閲覧者に見てもらうことができなければ、販売促進の効果を得ることもできない。
【０００４】
また、広告制作には商品コンセプトなどを伝えて広告代理店に依頼し、広告代理店は適当なクリエーターを探し制作させる。そのため、手間がかかるとともに、費用もかかる。有名な制作者に依頼すると制作費が高価であり、しかも、出来上がった広告が必ずしも広告主のイメージどおりであるとは限らない。そのため、作り直しなどで公開までに時間がかかることも多い。
【０００５】
ところで、コンピュータやデジタルビデオ，デジタルカメラなどの機器や、画像処理などのソフトウエアの普及や高性能化に伴い、動画などを制作が容易な環境となってきた。特に近年では動画作成，ｗｅｂページ作成などを指導する専門学校などもあり、素晴らしい作品を制作する制作者（クリエータ）が多数存在する。しかしながら、プロダクションなどに所属していない個人の制作者が多く、作品発表の場が限られ、広告の仕事を受ける機会も少ない。
【特許文献１】特開２００４−１１０３２５号公報
【発明の開示】
【発明が解決しようとする課題】
【０００６】
そこで本発明では、広告主から広告作成の依頼が有った際に、需要者の共感が得られるような広告を安価に作成し、口コミ的に広告に関する話題を広げて広告効果を高めることを課題とする。更には、まだ知名度の低い制作者に広く広告作成の機会を与え、その才能を見いだすことも課題とする。
【課題を解決するための手段】
【０００７】
請求項１記載の広告配信システムは、広告主の端末(2)と、広告を作成する制作者の端末(3)と、仲介者のサーバ(1)とが通信ネットワークを介して接続された広告配信システムであって、仲介者のサーバ(1)は、広告主から送信された広告制作依頼内容を記録する募集データベースと、該募集データベースに記録された広告制作依頼内容を制作者に閲覧させる手段と、制作者が応募した作品を記録する応募データベースと、広告主が応募された作品を閲覧すると共に採用の可否を決定することができる手段と、採用された作品を広告として記録する広告データベースと、採用された広告と関連づけたタグを該広告の制作者に提供する手段と、該制作者が該タグを自分のブログ又はｗｅｂページに記録した際に該制作者のブログ又はｗｅｂページに該広告を表示させる手段とを備え、該広告には該広告と関連づけられた広告用ｗｅｂページへのリンクが設定されていることを特徴とする。
【０００８】
これによれば、広告主が端末(2)を使って仲介者のサーバ(1)に広告募集を出すことかできる。そして、制作者が端末(3)を使って仲介者のサーバ(1)から募集情報を閲覧し、自分の作品を仲介者のサーバ(1)に送って応募することができる。広告主は応募された作品から気に入った作品を広告として採用することができる。これにより、広告主は多数の制作者の制作し個性のある広告を容易に得ることができる。また、制作者も広告制作の機会を容易に得ることができる。採用された広告は制作者のブログなどに掲載され、一般の閲覧に供される。広告には広告用ｗｅｂページへのリンクが設定されているので、広告に興味を持った閲覧者はリンクを介して広告に係る商品やサービスについての詳細な情報を知ることができる。
【０００９】
請求項２記載の広告配信システムは請求項１のシステムにおいて、仲介者のサーバ(1)は制作者が設定した応募条件を記録することができ、広告主より該応募条件と合致する広告制作依頼が登録された後に、該制作者の端末(3)に条件に合致した依頼があった旨の通知を自動的に行うこと特徴とする。
【００１０】
これによれば、制作者が予め希望する募集条件を仲介者のサーバ(1)に登録しておけば、広告主より条件に合致する広告制作依頼があった際に、仲介者のサーバ(1)から制作者の端末(3)にＥメールなどで通知がある。そのため、制作者は度々仲介者のサーバ(1)にアクセスしなくても希望条件に合った広告制作依頼を見逃すことない。
【００１１】
請求項３記載の広告配信システムは請求項１，請求項２のシステムにおいて、仲介者のサーバ(1)には広告主が提供する広告制作用の素材を記録するデータベースが備えられており、制作者から要求が有った際に要求された素材を該制作者の端末にダウンロードさせることが可能であることを特徴とする。
【００１２】
これらによれば、広告主は制作者が利用することのできる画像，動画，音声などの素材を仲介者のサーバ(1)に記録し、制作者が作品を制作する際にダウンロードして利用させることができる。そのため、質の高い作品が期待できる。
【００１３】
請求項４記載の広告配信システムは、請求項１〜請求項３のシステムにおいて、広告主が広告を採用した後に、広告主から仲介者を介して該広告を制作した制作者に制作料を支払う手段を有したことを特徴とする。
【００１４】
これによれば、広告主は広告として採用した作品を制作した制作者に制作料を容易に支払うことができる。また、仲介者は必要により仲介の手数料を制作料から控除して得ることが容易となる。
【００１５】
請求項５記載の広告配信システムは請求項１〜請求項４のシステムにおいて、仲介者のサーバ(1)には通信ネットワークを介して会員の端末(4)が接続可能であり、仲介者のサーバ(4)は、会員が会員情報を登録する手段と、広告主が採用した広告を会員に閲覧させる手段と、会員が任意に選択した広告と関連づけた広告用のタグを該会員に提供する手段と、該会員が該タグを自分のブログ又はｗｅｂページに記録した際に該会員のブログ又はｗｅｂページに該広告を表示させる手段とを備えており、該広告には該広告と関連づけられた広告用ｗｅｂページへのリンクが設定されていることを特徴とする。
【００１６】
これによれば、会員は仲介者のサーバ(1)にアクセスして自分の好みにあった広告を探し、その広告用タグを自分のブログなどに掲載することにより、自分が選んだ広告を自分のブログに掲載することができる。そのため、ブログ中で広告について話題にすることが容易となり、口コミを起こしやすい環境とすることができる。また、多くの会員のブログに掲載されることにより、広告が需用者の目にとまる機会が増える。しかも、広告には広告用ｗｅｂページへのリンクが設定されているので、広告に興味を持った閲覧者はリンクを介して詳細を知ることができる。
【００１７】
請求項６記載の広告配信システムは請求項１〜請求項４のシステムにおいて、仲介者のサーバ(1)には通信ネットワークを介して会員の端末(4)が接続可能であり、仲介者のサーバ(1)は、広告主に採用された広告をジャンルと関連づけて記録しており、会員が会員情報と該会員の選択したジャンルとを登録する手段と、広告表示用のタグを会員に提供する手段と、会員が該タグを自分のブログ又はｗｅｂページに記録した際に該会員のブログ又はｗｅｂページに広告枠を表示させる手段と、前記広告枠に該会員が登録したジャンルと関連する広告を表示する手段とを備えており、該広告には該広告と関連づけられた広告用ｗｅｂページへのリンクが設定されていることを特徴とする。
【００１８】
これによれば、会員が会員登録した際に選択したジャンルと関連するジャンルの広告を会員のブログなどに表示させることができる。会員が興味を持つジャンルの広告であるので、広告効果が大きい。
【００１９】
請求項７記載の広告配信システムは請求項１〜請求項４のシステムにおいて、仲介者のサーバ(1)には通信ネットワークを介して会員の端末(4)が接続可能であり、仲介者のサーバ(1)は、広告主に採用された広告を広告主の選択したキーワードと関連づけて記録しており、会員が会員情報を登録する手段と、広告表示用のタグを会員に提供する手段と、会員が該タグを自分のブログ又はｗｅｂページに記録した際に該会員のブログ又はｗｅｂページに広告枠を表示させる手段と、該会員がブログ又はｗｅｂページに記載した記事中からキーワードを抽出する手段と、抽出されたキーワードと関連する広告を前記広告枠に表示する手段とを備えており、該広告には該広告と関連づけられた広告用ｗｅｂページへのリンクが設定されていることを特徴とする。
【００２０】
これによれば、会員がブログに書き込んでいる記事のキーワードから判断して、記事の内容と関係のある広告を会員のブログなどに表示させることができる。会員が興味を持っている内容に関する広告であるので、広告効果が大きい。
【００２１】
請求項８記載の広告配信システムは請求項１〜請求項４のシステムにおいて、仲介者のサーバ(1)には通信ネットワークを介して会員の端末(4)が接続可能であり、仲介者のサーバは、広告主に採用された広告を会員属性と関連づけて記録しており、会員が会員情報と会員属性とを登録する手段と、広告表示用のタグを会員に提供する手段と、会員が該タグを自分のブログ又はｗｅｂページに記録した際に該会員のブログ又はｗｅｂページに広告枠を表示させる手段と、前記広告枠に該会員が登録している属性と関連づけられた広告を表示する手段とを備えており、該広告には該広告と関連づけられた広告用ｗｅｂページへのリンクが設定されていることを特徴とする。
【００２２】
これによれば、会員が会員登録した際に登録した年齢層や性別などの属性と関連づけられた広告を会員のブログなどに表示させることができる。会員の属性に合致した広告であるので、広告効果が大きい。
【００２３】
請求項９記載の広告配信システムは請求項１〜請求項４のシステムにおいて、仲介者のサーバ(1)には通信ネットワークを介して会員の端末(4)が接続可能であり、仲介者のサーバ(1)は、会員登録をした会員のブログを記録するブログ記録領域と、該ブログ中に自動的に広告枠を形成させ、該広告枠に広告を表示させる手段を備えており、該広告には該広告と関連づけられた広告用ｗｅｂページへのリンクが設定されていることを特徴とする。
【００２４】
これによれば、会員に対してブログシステムを提供する代わりに、そのブログ中に強制的に広告を表示させることができる。また、会員も広告用のタグを記入する等の操作を行うことなく、自分のブログ中に広告を表示させることができる
【００２５】
請求項１０記載の広告配信システムは請求項１〜請求項９のシステムにおいて、広告からのリンクにより、広告用ｗｅｂページが閲覧された場合に、リンク元の広告を掲載した会員又は制作者に広告主から広告料を支払う手段を備えたことを特徴とする。
【００２６】
これによれば自分のブログなどに広告を掲載した制作者や会員は、広告主より広告料を得ることができる。そのため、会員はより積極的に広告をブログなどに掲載する意欲が湧き、表示される広告が多くなる
【００２７】
請求項１１記載の広告配信システムは請求項１０のシステムにおいて、前記広告料は、広告をクリックした数に対応したクリック課金であり、広告主から仲介者を経由して会員又は制作者に支払われることを特徴とする。
【００２８】
これによれば、広告主はクリック数に応じた広告料を支払えばよいので、合理的な費用で広告を行うことができる。また、仲介者が広告料から仲介手数料を源泉することも容易となる。
【発明の効果】
【００２９】
本発明によれば、広告主は制作費や納期などを自由に設定して広告を募集することができる。制作者は多数の募集の中から任意の募集を選んで、広告を制作して応募することができる。そのため、広告主は需用者の共感が得られる広告を安価に得ることができる。また、制作者は広告制作の機会を得ることができる。
【００３０】
採用された広告は制作者のブログや、会員のブログなどで公開される。広告は制作者のセンスで制作されているため、広告と言うよりも作品として注目され、口コミで話題が広がることが期待できる。その為、高い広告効果が期待できる。
【発明を実施するための最良の形態】
【００３１】
以下、本発明を好適な実施例を用いて説明する。
【実施例１】
【００３２】
本実施例のシステムでは、広告を依頼する広告主と、広告を制作する制作者と、両者を仲介する仲介者と、広告をブログなどに掲載する会員とが存在する。会員は仲介者に会員登録した者であり、会員の中で広告制作を行うものが制作者となる。つまり、制作者は会員の一員である。
【００３３】
図１は本実施例のシステムの構成を示したブロック図である。仲介者のサーバ(1)と、広告主の端末(2)と、制作者の端末(3)と、会員の端末(4)とはインターネットなどの通信ネットワークを介して接続されている。また、会員以外の閲覧者の端末(5)もインターネットなどの通信ネットワークに接続されている。各端末としてはパソコンや移動端末など考えられる。
【００３４】
尚、会員の端末(4)，閲覧者の端末(5)等は、会員や閲覧者が所有する端末でも良いし、知人の所有する端末や、公共施設やインターネットカフェなどで利用に供される端末でもよい。
【００３５】
広告主は仲介者に広告主登録を行う。登録に際しては、広告を採用した場合に所定の作成費用を制作者に支払うと共に、所定の仲介手数利用を仲介者に支払うこと、更には広告に閲覧に応じた広告料を支払うこと等を契約する。契約は紙面による契約書により行っても良いが、サイトの利用規約のようにオンラインで行うようにしても良い。
【００３６】
システムの利用料は適宜定めればよいが、本実施例では広告主に対して利用開始時にアカウント開設費を求めると共に、月額利用料金を求めることとした。
【００３７】
一方、会員は仲介者のサーバにアクセスして、会員登録を行う。本実施例では会費は無料とした。会員は登録時に自分の好きなジャンルを選択して登録することが求められる。このジャンルは後述するように広告が自動配信される際の基準となる。この、ジャンルの登録は会員登録後も適宜会員が自ら変更することができるようにした。
【００３８】
会員登録をすると、会員には仲介者の提供するブログソフトとサーバのブログ記録領域が無償で貸与され、自分のブログを作成して公開することができる。但し、会員は仲介者の提供するブログサービスではなく、自前のブログを利用してもよいし、他社が提供するブログサービスを利用してブログを作成しても良い。つまり、仲介者の提供するブログサービスは会員の便宜のために提供されるが、その利用は会員の自由となっている。
【００３９】
図２は広告制作の流れの概要を示した図である。広告主は仲介者のサイト(1)にアクセスし、商品またはサービスに関する広告の制作依頼を掲載する。その際には、制作費，広告閲覧に対する広告費（クリック課金），商品のコンセプト，動画の再生時間，募集期間，リンク先などの条件を明示する。
【００４０】
図３は広告主が制作依頼するための制作依頼画面の一例を示した図である。広告主はこのようなページから制作依頼について希望する事項を入力する。同図において、「制作依頼見出し」の欄には制作依頼一覧に表示される見出しを記入する。制作者は制作依頼一覧を見て、募集を探すので制作者が興味を持つような見出しにすることが望ましい。
【００４１】
「依頼内容」の欄には商品コンセプトや、制作に関する指示、例えば再生時間などを記載する。例えば、商品コンセプトであれば「主に３０代のひとり暮らし男性をターゲットとした商品であって、電子レンジで簡単につくれる本格派インスタントラーメン。販売価格３５０円予定。コンビニ，スーパーなどで販売予定。」のように説明すると良い。
【００４２】
但し、広告の具体的な内容についてはあまり詳細に指示すると、どれも同じような作品となると共に、視聴者の共感を得にくい広告となりがちであるので、指定は少なくして制作者の感性に任せた方が好ましい。
【００４３】
「制作報酬」の欄には、採用した際に１件あたりに支払う制作料の額を入力する。「締め切り日」の欄には募集の締め切り期日を入力する。ある程度のクオリティを確保するため、締め切りは数ヶ月以上先にすることが望ましい。
【００４４】
続いて採用後に広告を配信する際の情報を入力する。「タイトル」は広告を配信した際に広告と共に表示される閲覧者向けの題名であり、製品名やサービス名やキャンペーン名などをタイトルとして採用することが多い。「紹介文」は広告主から閲覧者に向けての短い紹介文であり、閲覧者に対してアピールするのに用いられる。
【００４５】
「ジャンル」の欄(31)は広告を配信したい分野のことであり、複数用意されたジャンルから任意のジャンルを選択して指定することができる。ジャンルの分け方は適宜行えばよいが、例えば「グルメ」，「旅行」，「教育」，「音楽」，「ペット」，「テレビ」，「生活とくらし」などが考えられる。ジャンルを絞り込むことにより、見込み客となりそうな閲覧者に効果的に広告を配信することができる。本実施例では複数のジャンルを選択できるようにしたが、ジャンルを選択しない場合は全ジャンルに関して配信されるようにした。
【００４６】
「リンク先ＵＲＬ」欄(32)には広告である動画をクリックした際に表示されるリンク先のＵＲＬ、つまり、広告主が閲覧者を導いて見てもらいたい広告用ｗｅｂページのＵＲＬを記載する。
【００４７】
このようにして登録された広告制作依頼の内容は、仲介者のサーバ(1)の募集データベースに記録される。また、必要により広告対象となる商品の画像や会社のロゴ，動画などの制作素材を、仲介者のサーバ(1)の素材用データベースに記録させ、制作者が広告を制作する際に必要によりダウンロードして利用できるようにした。
【００４８】
会員のなかで広告制作を行いたい者は、仲介者が用意した募集一覧が掲載されているｗｅｂページにアクセスする。そのページは募集データベースのデータを利用して作られており、どのような制作募集があるのか閲覧することができる。必要により検索機能を設けて、ジャンルや制作費などの条件で絞り込んで表示できるようにしても良い。
【００４９】
尚、広告主からの制作募集があった際に、会員にその旨を知らせるメールを自動送信して通知するようにしておいてもよい。その場合、予め会員が条件、例えば制作費やジャンル等の条件を仲介者に登録しておき、その条件に合致した募集のみを制作者の端末(3)に通知するようにしても良い。
【００５０】
会員は、募集一覧から応募したい案件を見つければ、制作者として動画を作成する。その際には広告主が用意している画像や動画などの素材が有ればダウンロードし、加工して利用することもできる。
【００５１】
制作者は従来のように広告代理店から細かい指示を受けて依頼されたのではないため、趣味的な要素を多く含んだ作品や、冒険的な作品を作ることができる。また、多くの募集の中から選ぶことができるので、自分の好きな分野や、気に入った依頼内容の広告に応募することができる。
【００５２】
制作者は作品である広告が制作できると、その広告を仲介者のサーバ(1)にアップロードすることにより応募する。応募に際しては、採用された応募作品に関する著作権が広告主に譲渡される旨を承諾させることを条件とした。また、応募の際には、制作の意図や苦労した点などをアピールするための説明文を添えることができるようにした。制作者が応募した作品は仲介者のサーバ(1)の応募データベースに記録される。
【００５３】
広告が応募されると、広告主は仲介者のサーバ(1)にアクセスして自分の募集に対する応募作品を確認することができる。第４図は応募一覧を確認することができる画面の一例を示した図である。このｗｅｂページにて応募された全ての広告を一覧として見ることができる。図中において(41)は広告内容となる動画を再生する再生枠、(42)は動画を再生させる再生ボタンである。広告主は応募された作品から、採用する広告を選ぶことができる。採用は画面中の採用欄(43)で選択できるようにした。採用された作品は広告として仲介者のサーバ(1)の広告データベースに記録される。
【００５４】
尚、複数の応募があった場合には、１つの広告に絞り込むよりも、方向性の異なる複数の広告を選択する方が好ましい。口コミというものは広告主が操作できるものではなく、どのような広告が話題になるのかは判断しにくいからである。また、広く採用してくれる広告主に対しては制作者も応募する意欲が湧き、次回以降も良い広告が集まりやすいためでもある。制作者としても制作には時間や労力がかかっているため、採用が厳しい広告主についてはリスクが大きいと感じて応募意欲が出ないことも考えられる。
【００５５】
広告主は図４に示した一覧画面でも広告を再生することもできるが、個別の広告を選択して大きな画面で詳細を確認することもできる。第５図はそのような応募詳細を確認するための画面の一例を示した図である。この画面では、大きなサイズの動画のほかに、制作者のアピールなども見ることができる。同図において(52)は大きなサイズで表示された広告であり、(51)は制作者のアピールを表示するアピール欄である。
【００５６】
広告主に採用されると、募集時に指定されていた制作費が制作者に支払われる。その際には、一旦広告主から仲介者に支払われ、仲介者が所定の仲介手数料を控除した残額を制作者に支払うようにした。尚、仲介手数料は制作費から控除せず、別途広告主から仲介者に所定の額を支払うようにしても良い。
【００５７】
応募した広告は「マイページ」と呼ばれる仲介者が管理する制作者毎のｗｅｂページに一覧表示される。制作者は自分のマイページで採用された広告用のタグを入手し、自分のブログやｗｅｂページ等に貼り付ける。すると、自分のブログ等に広告枠ができ、採用された自作の広告を表示させることができる。仮に、複数件応募し、複数件採用されている場合は、複数の広告用タグを貼り付けて、複数の広告を表示させることもできる。
【００５８】
制作者は自分の作った広告を自分のブログなどで閲覧者に広く見てもらうことができるので、自分の実力を示すことや、ファンを作ることに役立てることができる。ブログの記事として広告の製作記等を書けば、更に広告に興味を持たせることができる。
【００５９】
広告からは広告主の広告用ｗｅｂページへのリンクが設定されている。閲覧者は広告をクリックすると広告用ｗｅｂページにて商品やサービスの詳細を知ることができる。
【００６０】
制作者以外の会員も広告を表示させることができる。図６は会員が広告を掲載する流れの概要を示した図である。
【００６１】
会員は仲介者のサーバ(1)にアクセスし、広告一覧を表示するｗｅｂページで、各制作者の採用されている広告の一覧を見ることができる。一覧を利用しやすくするために、カテゴリー，タイトル，制作者，広告主の項目で検索できる機能を付けることが望ましい。好きな広告が見つかれば、その広告についての広告用タグを入手する。この場合、好きな広告を選んでタグ作成を指定すると、自分の会員ＩＤと関連づけられたタグが形成される。
【００６２】
広告用タグを入手した会員は、自分のブログ，ｗｅｂページ，ＳＮＳ（ソーシャルネットワーキングサービス）等に貼り付ける。すると、選択した広告が再生できる広告枠を自分のブログなどに表示させることができる。尚、ブログは先述のように仲介者の提供するブログサービスを利用したものでも良いし、自前で用意したブログや他社が提供するブログサービスを利用したブログでもよい。いずれにせよタグを貼り付けるという簡単な作業を行うだけで広告を表示させることができるので、たいした手間はかからない。
【００６３】
図７はそのようなブログ画面の一例を示した図である。図中において(71)は広告が再生される広告枠である。広告枠のサイズは適宜定めればよいが、本実施例ではブログの記事(72)のじゃまにならない程度の大きさのサイズとした。必要なら広告枠を拡大表示できような仕組みとしても良い。
【００６４】
会員が選択できる広告枠としては、上記のような自分で好きな広告を選択して表示させる他に、自動的に自分の興味を持っているジャンルの広告を表示させることもできる。その場合は、仲介者のサーバ(1)にアクセスして、自動配信広告用のタグを入手する。このタグも会員ＩＤと関連づけられている。そして、入手した自動配信広告用タグを自分のブログに貼り付けるとブログ中に広告枠が形成される。
【００６５】
この広告枠には広告が自動的に選択され表示される。その広告はその会員が登録時に指定したジャンルに基づいて配信される。例えば、「グルメ」というジャンルを選択している会員のブログには「グルメ」に関する広告が表示されることになる。そのため、会員が興味のあるジャンルを表示させることができ、広告の効果が大きい。
【００６６】
このように会員が表示させる広告としては、個別に選んだ広告と、ジャンルに基づいて表示される広告の２種類がある。会員は、いずれか１つの種類の広告を表示させるようにしても良いし、両方の種類の広告を表示させるようにしても良い。尚、制作者も会員であるので、自動配信の広告枠を自分のブログに表示させることができる。
【００６７】
ブログには趣味や感性の近い者のものが集まって閲覧し合うという傾向がある。そして、閲覧者は作品である広告に共感すると仲間にも教えてあげようとする。そして自分のブログ，ＳＮＳ，メーリングリスト，メルマガなどを介して口コミで広告のおもしろさが広く伝わる。そして、制作者のブログや会員のブログへのリンクにより広告を見る閲覧者は増えていく。このようにして広告が話題となって伝えられていくので、口コミを生じさせやすい。
【００６８】
広告からのリンクで閲覧者が広告用ｗｅｂページを閲覧すると、その閲覧数に対応して広告料が発生し、広告主からリンク元の制作者又は会員に対して所定のクリック課金が広告料として支払われる。このクリック課金については一旦仲介者に支払われ、仲介者から各会員にクリック数に応じて分配して支払われるようにした。その際、仲介者が手数料を控除するか否かは適宜定めればよい。
【００６９】
尚、同じ広告を同じ閲覧者が複数回クリックした場合は最初の１回のみカウントするようにした。これにより悪戯や広告料目的等で不当に表示回数がカウントされることを防止できる。
【００７０】
クリック課金を払うクリック数の上限は広告主毎に決められるようにしている。クリック数が上限に達すると、それ以降はその広告主の広告については掲載されない。これにより広告費の上限をコントロールできるため、広告主は予め決めた予算内で広告を行うことができる。
【００７１】
制作者は今まで参入が困難であった広告の仕事を受けるチャンスが増え、広告主も低コストで需用者に受け入れられやすい広告を得ることができる。今までの広告主が主体で制作した広告的な広告ではなく、制作者の個性が表れた作品的な広告となるので、話題になりやすく、需用者に実際に見てもらい易くなる。それにともない、広告主の広告用ｗｅｂページへのアクセスも増え、売り上げも向上することが期待できる。
【００７２】
仲介者のサーバ(1)には広告の動画が再生された数や、広告がクリックされた数を記録している。そして、広告主は所定のアクセス記録確認用のｗｅｂページを見て、自分が採用した広告のアクセス記録を確認し、広告の効果を知ることができる。
【００７３】
また、広告主は採用した広告を仲介者のサーバ(1)からダウンロードできるようにしている。これにより、その広告を自分のｗｅｂページやパンフレットなとに適宜用いることができる掲載することができる。
【００７４】
ところで、応募したものの広告主に採用されなかった制作者は、制作費はもらえない。しかしながら、その作品を自分のブログに掲載することができる。その場合も自分用のマイページからタグを入手し、自分のブログに貼り付けることにより当該作品をブログ中の広告枠に表示させることができる。
【００７５】
つまり、採用されない場合でも、作品を発表する場が得られる。それにより、自分の作品を他の広告主にも知ってもらい、その作風に興味を示した新たな広告主から依頼を受けるきっかけになる。また、自分の作品を公開することにより、ファンを作る上でも役立つ。ファンが増えて人気が出ると、作品である広告を見たい人も増えるので、広告主はその制作者に一目をおくこととなる。つまり、採用されなくても全くの無駄とはならず、自己のＰＲとして活用できる。
【００７６】
但し、広告主に採用されていない広告であるので、クリックされても課金は発生せず、広告主の広告用ｗｅｂページにリンクすることもない。
【００７７】
尚、不採用の作品の中には、公序良俗に反する内容や、広告商品のイメージを損なうものも含まれる可能性がある。その為、仲介者が内容を確認し、表示させることが望ましくないと判断する作品については制作者のマイページに掲載せず、制作者のブログに掲載できないようにした。また、一旦掲載しても、広告主の意向，閲覧者からの苦情，警察からの要請などの種々の事情から判断して、必要な場合はマイページから削除してブログに表示させないようにすることもできる。
［実施例２］
【００７８】
実施例１ではジャンルを選択することにより、同じジャンルを登録している会員のブログに広告を自動的に掲載させるようにした。しかしながら、会員は必ずしも選択したジャンルに即した記事をブログに書くとは限らず、ジャンルとは関係無しに興味のあることをランダムに書きつづる場合も多い。
【００７９】
そこで、本実施例ではジャンルだけでなく、補助的にキーワードにより関連のありそうな広告を自動的に選択して掲載できるようにした。図８は制作募集画面の一例を示した図である。ほとんど図３で示した実施例１の制作募集画面と同じであるが、それ以外に複数のキーワードを登録できる欄を設けた。図中において、(81)がキーワード設定欄である。設定できるキーワードの数は適宜定めればよい。この欄に広告内容と関連するキーワードを付与してデータベースに登録しておく。
【００８０】
会員がブログに記事を書み、その記事と広告との関連性が高いと判断される場合は、登録しているジャンルを越えて関連する広告が自動的にそのブログに表示される。尚、ジャンルと、キーワードによる関連との優先度合いは適宜定めれば良い。
【００８１】
例えば単純な例を挙げると、記事中で「缶コーヒー」に関して書き込んだ場合、タイトルや記事中の頻出語から「缶コーヒー」というキーワードが抽出され、「缶コーヒー」というキーワードに関連づけられた広告がブログの広告枠に自動的に表示される。
【００８２】
これにより登録されているジャンルが異なっていたとしても、ブログ内容と関係のある広告がブログの広告枠に掲載されることとなり、ブログ利用者やブログの閲覧者にアピールすることができる。
［実施例３］
【００８３】
本実施例では会員登録時に会員の属性を登録させる。属性としては「性別」，「年齢層」，「居住地域」，「職業」，「趣味」，「好み」などが考えられる。
【００８４】
そして、広告は各種属性と関連づけてデータベースに記録されており、会員の属性にあわせて、関連のある広告を当該会員のブログの広告枠に自動的に表示させる。自動配信の広告枠を設置するやり方は実施例１，実施例２と同様である。
【００８５】
これによれば、「３０代の女性」には、「３０代を主な顧客とする化粧品」の広告を表示させるようなことができる。ブログにはブログユーザと似た属性の閲覧者が集まりやすいので、興味のある広告を会員と閲覧者に見せることができる。
［実施例４］
【００８６】
上記の各実施例では、会員に広告枠用のタグを配布し、会員が自分の手で自分のブログにタグを貼り付けることにより広告を表示させていた。つまり、会員に広告枠の貼り付けについて協力を依頼が、強制的なものではなかった。
【００８７】
本実施例にはいては、仲介者が提供するブログについては、最初から強制的に広告枠が形成されるようにした。この場合は、会員登録の際に登録されたるジャンル，キーワードによって選別された広告が自動的に広告枠に配信されるようにした。
【００８８】
自動的に広告表示されるため、会員はタグをブログに貼り付けるなどの手間が不要となる。
尚、実施例１と同様にジャンルは登録後であっても、登録内容を変更できるようにした。これにより、表示される広告のジャンルを任意に変更することができる。
【産業上の利用可能性】
【００８９】
本実施例では動画の広告を例にとって説明したが、必ずしも動画に限定されるものではない。たとえば、写真，ＣＧ，文章等でも良い。
【図面の簡単な説明】
【００９０】
【図１】実施例の構成を示すブロック図。
【図２】制作者の広告掲載に関する流れの概要を示した図。
【図３】実施例１の制作依頼画面を示した図。
【図４】応募広告一覧画面の一例を示した図。
【図５】応募詳細画面の一例を示した図。
【図６】ブログの表示の一例を示した図。
【図７】会員の広告掲載に関する流れの概要を示した図。
【図８】実施例２の制作依頼画面を示した図。
【符号の説明】
【００９１】
１    仲介者のサーバ
２    広告主の端末
３    制作者の端末
４    会員の端末
５    会員以外の閲覧者の端末
７１  広告枠
【図１】
2008217423.tif 000003
【図２】
2008217423.tif 000004
【図３】
2008217423.tif 000005
【図４】
2008217423.tif 000006
【図５】
2008217423.tif 000007
【図６】
2008217423.tif 000008
【図７】
2008217423.tif 000009
【図８】
2008217423.tif 000010